(57)【要約】【課題】ネットワークを介してＶＯＤサービス等により動画コンテンツを取得する映像記録再生装置において、同一内容の番組の重複記録を防止することにより記録媒体の容量を節約すること。【解決手段】映像記録再生装置は、デジタル放送の放送波を選択して受信する受信手段と、受信手段が受信した放送信号に含まれる番組データを記録手段に記録させる制御手段と、動画コンテンツを配信する動画配信装置にネットワークを介して接続され、動画配信装置から動画コンテンツを取得するネットワーク接続手段とを備え、制御手段は、デジタル放送の番組を録画予約するための、ユーザからの入力操作によって入力された番組情報が動画配信装置に記録されている動画コンテンツのコンテンツ情報と同一であるか否かを判定し、同一であると判定された場合には番組情報を削除する。【選択図】図２
2009284345.tif 000002
【特許請求の範囲】
【請求項１】
デジタル放送の放送波を選択して受信する受信手段と、
前記受信手段が受信した前記放送信号に含まれる番組データを記録手段に記録させる制御手段と、
動画コンテンツを配信する動画配信装置にネットワークを介して接続され、前記動画配信装置から動画コンテンツを取得するネットワーク接続手段とを備え、
前記制御手段は、前記デジタル放送の番組を録画予約するための、ユーザからの入力操作によって入力された番組情報が前記動画配信装置に記録されている動画コンテンツのコンテンツ情報と同一であるか否かを判定し、同一であると判定された場合には前記番組情報を削除する映像記録再生装置。
【請求項２】
前記番組情報が前記コンテンツ情報と同一であると判定された場合には、前記制御手段は、前記番組情報を削除する前に前記番組情報の削除の可否をユーザに提示し、削除可である場合には前記番組情報を削除し、削除不可である場合には前記番組情報を削除しないようにする、請求項１に記載された映像記録再生装置。
【請求項３】
録画予約が行われた番組の録画中に、前記番組情報が前記コンテンツ情報と同一であると判定された場合には、前記制御手段は、前記記録手段への番組データの記録を停止すると共に前記記録手段に録画済の番組データを削除する、請求項１又は２に記載された映像記録再生装置。
【請求項４】
録画予約が行われた番組の録画中に、前記番組情報が前記コンテンツ情報と同一であると判定された場合には、前記制御手段は、前記記録手段に録画済の番組データを削除する前に前記記録手段に録画済の番組データの削除の可否をユーザに提示し、削除可である場合には前記記録手段に録画済の番組データを削除し、削除不可である場合には前記記録手段に録画済の番組データを削除しないようにする、請求項３に記載された映像記録再生装置。
【請求項５】
デジタル放送の放送波を選択して受信する受信手段と、
前記受信手段が受信した前記放送信号に含まれる番組データを記録手段に記録させる制御手段と、
動画コンテンツを配信する動画配信装置にネットワークを介して接続され、前記動画配信装置から動画コンテンツを取得するネットワーク接続手段とを備え、
前記制御手段は、前記記録手段に録画済の番組データの番組情報が前記動画配信装置に記録されている動画コンテンツのコンテンツ情報と同一であるか否かを判定し、同一であると判定された場合には、前記記録手段に録画済の番組データを削除する映像記録再生装置。
【請求項６】
前記番組情報が前記コンテンツ情報と同一であると判定された場合には、前記制御手段は、前記記録手段に録画済の番組データを削除する前に前記記録手段に録画済の番組データの削除の可否をユーザに提示し、削除可である場合には前記記録手段に録画済の番組データを削除し、削除不可である場合には前記記録手段に録画済の番組データを削除しないようにする、請求項５に記載された映像記録再生装置。
【請求項７】
デジタル放送の放送波を選択して受信する受信手段と、前記受信手段が受信した前記放送信号に含まれる番組データを記録手段に記録させる制御手段と、動画コンテンツを配信する動画配信装置にネットワークを介して接続され、前記動画配信装置から動画コンテンツを取得するネットワーク接続手段とを備えた映像記録再生装置における映像記録再生方法であって、
前記制御手段が、前記デジタル放送の番組を録画予約するための、ユーザからの入力操作によって入力された番組情報が前記動画配信装置に記録されている動画コンテンツのコンテンツ情報と同一であるか否かを判定し、
同一であると判定された場合には、前記制御手段が前記番組情報を削除する映像記録再生方法。
【発明の詳細な説明】
【技術分野】
【０００１】
本発明は、ネットワークを介して動画配信装置から動画コンテンツを取得する映像記録装置及び映像記録方法に関する。
【背景技術】
【０００２】
従来、録画側を構成するエンコーダ部と、再生側を構成するデコーダ部と、シリーズ番組検索制御部及びシリーズ番組予約・録画制御部を含み、装置本体の動作を制御するマイクロコンピュータブロックと、ＨＤＤ（Hard Disk Drive）部とを備える番組録画予約装置が知られている（例えば、下記特許文献１参照）。この番組録画予約装置では、ネットワークインターフェイスを介して外部のサーバから取得された電子番組案内情報（ＤＥＰＧ：Dynamic Electronic Program Guide）に基づいて、ユーザにより番組の録画予約（ここではシリーズ予約）が行われると、シリーズ番組検索制御部が同一シリーズの番組を検索する。そして、シリーズ番組検索制御部による検索が行われると、この番組録画予約装置では、シリーズ番組予約・録画制御部が、検索された番組と録画予約番組リストに登録された番組又は既に録画済の番組とで同一内容の番組があるか否かを判定し、重複する番組があった場合には検索された番組のうち同一内容の番組を録画予約番組リストに登録しないようにしている。
【０００３】
また、従来、テレビジョン放送などで放送される番組を記録媒体に記録する番組記録装置が知られている（例えば、下記特許文献２参照）。この番組記録装置は、ＩＤ比較部及びＩＤ抽出部を含む制御部と、番組情報メディアに記録されている電子番組表データなどを再生する再生部と、録画用メディアに番組を録画すると共に録画された番組を再生する録画・再生部とを備える。ＩＤ抽出部は、録画用メディアに記録されている録画ＩＤを抽出すると共に、番組情報メディアに記録されている番組ＩＤを抽出する。ＩＤ比較部は、番組ＩＤと録画ＩＤとを比較して、録画ＩＤに一致する番組ＩＤがある場合には、録画ＩＤに対応する録画内容と、一致した番組ＩＤに対応する番組情報とをリンクさせる。これにより、番組情報メディアから提供される電子番組表データに基づいて構成される番組表において、録画用メディアに録画した番組と録画していない番組とが容易に区別可能となっている。
【０００４】
さらに、従来、テレビジョン放送等の放送番組を予約して記録することが可能な放送番組予約装置が知られている（例えば、下記特許文献３参照）。この放送番組予約装置は、システムコントローラと、アンテナから得られるテレビジョン放送の信号を受信する放送信号受信部と、放送信号受信部で受信された番組を番組記憶部に記録する番組記録処理部と、放送信号受信部を介して定期的に得られるＥＰＧ情報を記憶するＥＰＧ情報記憶部とを備える。システムコントローラは、ＥＰＧ情報記憶部のＥＰＧ情報を参照して、予約候補番組の比較の対象となる番組（比較対象番組）が予約候補番組よりも未来に存在するか否かを検出（未来パターン検出）すると共に、比較対象番組が予約候補番組よりも過去に存在するか否かを検出（過去パターン検出）する。そして、システムコントローラは、未来パターン検出にて検出された未来検出パターンと、過去パターン検出にて検出された過去検出パターンとの組合せに基づいて、予約候補番組の予約を行うか否かを判定している。これにより、再放送であるか否かの検出精度が高まることとなり、同一内容の番組の重複記録を防止することが可能となっている。
【特許文献１】特開２００７−０８８７６０号公報
【特許文献２】特開２００４−１４０５２７号公報
【特許文献３】特開２００７−２８１７５２号公報
【発明の開示】
【発明が解決しようとする課題】
【０００５】
近年、地上デジタル放送や、ＢＳ（BroadcastingSatellite）デジタル放送、１１０度ＣＳ（Communication Satellite）デジタル放送といった衛星デジタル放送が実用化されていることに伴い、デジタル放送で送信される番組データを記録する映像記録再生装置が普及している。また、近年、インターネット等のネットワークを通じたビデオオンデマンド（ＶＯＤ：Video On Demand）サービスや動画コンテンツのダウンロードサービスなど、ネットワークを介して動画配信装置から取得した動画コンテンツを視聴することができる新たなサービス（以下、「ＶＯＤサービス等」という。）が普及している。
【０００６】
このＶＯＤサービス等では、デジタル放送による番組と同じ番組を視聴できることがある。そのため、同一内容の番組をデジタル放送とＶＯＤサービス等とで視聴できる場合に、デジタル放送による番組を予約して映像記録再生装置に録画すると、ＶＯＤサービス等で同一内容の番組が視聴できるにもかかわらず映像記録再生装置内のＨＤＤ等の記録媒体に録画されてしまうことから、映像記録再生装置内の記録媒体の容量が無駄になってしまう虞がある。また、デジタル放送による番組を既に録画済の場合に同一内容の番組をＶＯＤサービス等で視聴できるときも、同様である。
【０００７】
しかしながら、上記特許文献１〜３に記載されたような従来の装置では、重複した番組の記録の防止等を目的としてはいるものの、ＶＯＤサービス等の新たなサービスに対応することが想定されていなかった。
【０００８】
そこで、本発明は、ネットワークを介してＶＯＤサービス等により動画コンテンツを取得する映像記録再生装置において、同一内容の番組の重複記録を防止することにより記録媒体の容量を節約することが可能な映像記録再生装置及び映像記録再生方法を提供することを目的とする。
【課題を解決するための手段】
【０００９】
本発明に係る映像記録再生装置は、デジタル放送の放送波を選択して受信する受信手段と、受信手段が受信した放送信号に含まれる番組データを記録手段に記録させる制御手段と、動画コンテンツを配信する動画配信装置にネットワークを介して接続され、動画配信装置から動画コンテンツを取得するネットワーク接続手段とを備え、制御手段は、デジタル放送の番組を録画予約するための、ユーザからの入力操作によって入力された番組情報が動画配信装置に記録されている動画コンテンツのコンテンツ情報と同一であるか否かを判定し、同一であると判定された場合には番組情報を削除する。
【００１０】
また、本発明に係る映像記録再生装置は、デジタル放送の放送波を選択して受信する受信手段と、受信手段が受信した放送信号に含まれる番組データを記録手段に記録させる制御手段と、動画コンテンツを配信する動画配信装置にネットワークを介して接続され、動画配信装置から動画コンテンツを取得するネットワーク接続手段とを備え、制御手段は、記録手段に録画済の番組データの番組情報が動画配信装置に記録されている動画コンテンツのコンテンツ情報と同一であるか否かを判定し、同一であると判定された場合には、記録手段に録画済の番組データを削除する。
【００１１】
一方、本発明に係る映像記録再生方法は、デジタル放送の放送波を選択して受信する受信手段と、受信手段が受信した放送信号に含まれる番組データを記録手段に記録させる制御手段と、動画コンテンツを配信する動画配信装置にネットワークを介して接続され、動画配信装置から動画コンテンツを取得するネットワーク接続手段とを備えた映像記録再生装置における映像記録再生方法であって、制御手段が、デジタル放送の番組を録画予約するための、ユーザからの入力操作によって入力された番組情報が動画配信装置に記録されている動画コンテンツのコンテンツ情報と同一であるか否かを判定し、同一であると判定された場合には、制御手段が番組情報を削除する。
【発明の効果】
【００１２】
本発明によれば、ネットワークを介してＶＯＤサービス等により動画コンテンツを取得する映像記録再生装置において、同一内容の番組の重複記録を防止することにより記録媒体の容量を節約することが可能な映像記録再生装置及び映像記録再生方法を提供することができる。
【発明を実施するための最良の形態】
【００１３】
本発明に係る映像記録再生装置１の好適な実施形態について、図面を参照して説明する。なお、説明において、同一要素又は同一機能を有する要素には同一符号を用いることとし、重複する説明は省略する。
【００１４】
映像記録再生装置１は、図１に示されるように、テレビ等の映像・音声出力装置２と接続されており、ネットワークＮＷを介してＶＯＤサービス提供サーバ（動画配信装置）３及び動画コンテンツダウンロードサービス提供サーバ（動画配信装置）４と接続されている。そのため、映像記録再生装置１は、受信したデジタル放送による番組やサーバ３，４からネットワークＮＷを介して取得した動画コンテンツの映像・音声を映像・音声出力装置２に出力可能となっている（詳しくは後述する）。
【００１５】
また、映像記録再生装置１は、図１に示されるように、光記録媒体であるＤＶＤ−Ｒ等の記録媒体５を収容可能である。映像記録再生装置１は、受信したデジタル放送による番組やサーバ３，４からネットワークＮＷを介して取得した動画コンテンツを記録媒体５に記録可能であると共に、記録媒体５に記録されている番組や動画コンテンツを再生し、その映像・音声を映像・音声出力装置２に出力可能となっている（詳しくは後述する）。
【００１６】
続いて、図２を参照して、映像記録再生装置１の構成についてさらに詳しく説明する。映像記録再生装置１は、ディスクドライブ部（記録手段）１０及びＨＤＤ部（記録手段）１２の二種類のディスクドライブと、データプロセッサ（Ｄ−ＰＲＯ）部１４とを有する。ディスクドライブ部１０は、記録媒体５を収容可能であり、記録媒体５に対して各種情報（本実施形態においては主として映像・音声情報を含む番組データ）を記録し、また、記録媒体５に記録されている各種情報を再生する。ＨＤＤ部１２は、内部に磁気記録媒体であるハードディスク１２ａを有しており、ハードディスク１２ａに各種情報（本実施形態においては主として映像・音声情報を含む番組データ）を記録し、ハードディスク１２ａに記録されている各種情報を再生する。
【００１７】
Ｄ−ＰＲＯ部１４は、ディスクドライブ部１０及びＨＤＤ部１２に記録データを供給し、また、ディスクドライブ部１０及びＨＤＤ部１２において再生された信号を受信する。Ｄ−ＰＲＯ部１４は、記録又は再生他任意のデータを取り扱うもので、バッファ回路、変調・復調回路、エラー訂正回路等を含む。
【００１８】
また、映像記録再生装置１は、録画側を構成するエンコーダ部１６と、再生側を構成するデコーダ部１８と、装置本体の動作を制御するマイクロコンピュータブロック（制御手段）２０とを主たる構成要素として備えている。
【００１９】
エンコーダ部１６は、入力されたデジタルビデオデータやデジタルオーディオデータを所定のデータ形式に変換するビデオエンコーダ及びオーディオエンコーダを含んでいる。デジタルビデオ信号は、エンコーダ部１６に含まれるＭＰＥＧ（Moving Picture Experts Group）ビデオエンコーダにより、ＭＰＥＧ２又はＭＰＥＧ１規格に基づいた可変ビットレートで圧縮されたデジタルビデオ信号に変換される。デジタルオーディオ信号は、エンコーダ部１６において、ＭＰＥＧ又はＡＣ（Audio Compression）−３規格に基づいて固定ビットレートで圧縮されたデジタルオーディオ信号又はリニアＰＣＭ（Pulse Code Modulation）のデジタルオーディオ信号に変換される。なお、圧縮されたデジタルビデオ信号やデジタルオーディオ信号がエンコーダ部１６に直接入力される場合には、エンコーダ部１６は、圧縮デジタルビデオ信号や圧縮デジタルオーディオ信号を直接フォーマッタ２４に供給することもできる。
【００２０】
エンコードされたデジタルビデオ信号やデジタルオーディオ信号等は、フォーマッタ２４においてパック化されてビデオパックやオーディオパック等となり、さらにこれらが集合されて、ＤＶＤ−ビデオ規格で規定されたフォーマット（ＤＶＤ  Ｖｉｄｅｏフォーマット）や、ＤＶＤ−レコーディング規格で規定されたフォーマット（ＤＶＤ  ＶＲフォーマット）に変換される。フォーマッタ２４は、この変換処理のときにバッファメモリ２２も利用している。
【００２１】
このように、エンコーダ部１６からのエンコード出力は、バッファメモリ２２を含むフォーマッタ２４において所定のフォーマットに変換された後、Ｄ−ＰＲＯ部１４に供給される。なお、トランスポートストリームから抽出したパケットエレメンタリストリームが、エンコーダ部１６から直接ＨＤＤ部１２のハードディスク１２ａに記録される場合もある。
【００２２】
エンコーダ部１６には、スイッチ２６を介して、地上デジタル放送波を受信する地上デジタルチューナ（受信手段）２８及び衛星ＢＳ（Broadcasting Satellite）／ＣＳ（Communication Satellite）デジタル放送波を受信する衛星ＢＳ／ＣＳデジタルチューナ（受信手段）３０が接続されており、これらのチューナ２８，３０が受信した受信信号が選択的に入力される。なお、エンコーダ部１６において複数のエンコーダが同時に動作する場合には、地上デジタルチューナ２８で受信した番組をＨＤＤ部１２のハードディスク１２ａに記録（録画）し、同時に、衛星ＢＳ／ＣＳデジタルチューナ３０で受信した番組を映像・音声出力装置２において視聴することが可能である。
【００２３】
マイクロコンピュータブロック２０は、ＣＰＵ（CentralProcessing Unit）２０ａと、制御プログラム等が記録されたＲＯＭ（Read Only Memory）２０ｂと、プログラムの実行に必要なワークエリアを提供するためのＲＡＭ（Random Access Memory）２０ｃとを含んでいる。ＣＰＵ２０ａは、ＲＯＭ２０ｂに格納された制御プログラムに従い、ＲＡＭ２０ｃをワークエリアとして用いて、欠陥場所検出、未記録領域検出、録画情報記録位置設定、ＵＤＦ（Universal Disk Format）記録、ＡＶアドレス設定等を実行する。
【００２４】
マイクロコンピュータブロック２０は、ネットワークＩ／Ｆ（InterFace）（ネットワーク接続手段）３２と接続されており、ネットワークＩ／Ｆ３２及びネットワークＮＷを介して、外部の各サーバ３，４（図１参照）と接続可能となっている。これにより、外部の各サーバ３，４から動画コンテンツや電子番組案内情報（ＤＥＰＧ：Dynamic Electronic Program Guide）を取り込むことができる。
【００２５】
マイクロコンピュータブロック２０は、例えば映像記録再生装置１の本体に設けられたスイッチ類やリモートコントローラから、映像記録再生装置１を操作するための操作信号を受信する。この操作信号としては、ディスクドライブ部１０に収容された記録媒体５やＨＤＤ部１２のハードディスク１２ａに記録されている番組や動画コンテンツを再生、停止、一時停止、早送り、早戻し等する各信号、各チューナ２８，３０で受信した番組をディスクドライブ部１０に収容された記録媒体５やＨＤＤ部１２のハードディスク１２ａに記録させる録画信号、将来放送される番組を予約するための予約信号、各サーバ３，４の動画コンテンツが、予約した番組やＨＤＤ部１２のハードディスク１２ａに記録された番組と同一内容であるか否かを探索する探索信号（探索については後述する）等がある。
【００２６】
マイクロコンピュータブロック２０は、映像記録再生装置１の本体に設けられた表示部３４と接続されている。表示部３４には、マイクロコンピュータブロック２０による実行結果のうち、ユーザに通知すべき内容が表示される。
【００２７】
なお、マイクロコンピュータブロック２０がディスクドライブ部１０、ＨＤＤ部１２、Ｄ−ＰＲＯ部１４、エンコーダ部１６又はデコーダ部１８等を制御するタイミングは、ＳＴＣ（System Time Clock）３６からの時間データに基づいて実行することができる。録画や再生の動作は、通常はＳＴＣ３６からのタイムクロックに同期して実行されるが、それ以外の処理は、ＳＴＣ３６とは独立したタイミングで実行されてもよい。
【００２８】
デコーダ部１８は、パック構造を持つＤＶＤフォーマットの信号から各パックを分離して取り出すセパレータと、パック分離やその他の信号処理実行時に使用するメモリと、セパレータで分離された映像データ（ビデオパックの内容）をデコードするビデオデコーダと、セパレータで分離されたオーディオデータ（オーディオパックの内容）をデコードするオーディオデコーダと、デコードされた映像にメニュー、ハイライトボタン、字幕等を重ねて出力するビデオプロセッサとを有している。
【００２９】
デコーダ部１８の出力ビデオ信号は、ビデオミキシング部３８に入力される。ビデオミキシング部３８では、例えばテキストデータの合成が行われる。ビデオミキシング部３８には、バッファとして用いられるフレームメモリ部４０が接続されている。ビデオミキシング部３８からのデジタル信号出力は、デジタルアナログ（Ｄ／Ａ）変換器４２を介して、映像・音声出力装置２のモニタ２ａに出力される。
【００３０】
デコーダ部１８の出力オーディオ信号は、オーディオセレクタ４４を介してＤ／Ａ変換器４６でアナログ信号に変換されて、映像・音声出力装置２のスピーカ２ｂに出力される。オーディオセレクタ４４は、マイクロコンピュータブロック２０からのセレクト信号により制御される。これにより、オーディオセレクタ４４は、エンコーダ部１６からのデジタルオーディオ信号を直接選択することも可能である。
【００３１】
続いて、各サーバ３，４の動画コンテンツが、予約した番組やＨＤＤ部１２のハードディスク１２ａに記録された番組と同一内容であるか否かを探索する探索処理について、図３〜図５を参照しつつ説明する。なお、図３〜図５では、ステップをＳと略記している。
【００３２】
まず、図３を参照して、予約時の探索処理について説明する。映像記録再生装置１が予約時の探索処理を開始すると、ユーザによる予約入力がマイクロコンピュータブロック２０に対してなされたか否かをマイクロコンピュータブロック２０が判定する（ステップ１００）。マイクロコンピュータブロック２０は予約入力があるまで待機し、予約入力があったとマイクロコンピュータブロック２０が判定するとステップ１０２に進む。なお、ここでいう予約とは、地上デジタルチューナ２８や衛星ＢＳ／ＣＳデジタルチューナが受信する番組のうち将来放送予定である番組を、ネットワークＩ／Ｆ３２を介して受信したＤＥＰＧから映像記録再生装置１の本体に設けられたスイッチ類やリモートコントローラによって選択する行為や、映像記録再生装置１の本体に設けられたスイッチ類やリモートコントローラによって直接入力する行為をいう。
【００３３】
予約入力があったとマイクロコンピュータブロック２０が判定すると、予約された番組が動画配信装置としての各サーバ３，４に記録されている動画コンテンツと同一内容であるか否かを、マイクロコンピュータブロック２０が判定する（ステップ１０２）。具体的には、まず、マイクロコンピュータブロック２０が、利用可能な動画コンテンツのコンテンツ情報（動画コンテンツのタイトル、シリーズ名、話数等）を各サーバ３，４からネットワークＩ／Ｆ３２及びネットワークＮＷを介して取得する。そして、この取得したコンテンツ情報の中に予約された番組の番組情報（番組のタイトル、シリーズ名、話数、再放送であるか否か等の情報）と一致するものがあるか否かを判定する。一致しているか否かの判定方法としては、コンテンツ情報と番組情報との完全一致を判定する方法のほか、上記特許文献１に記載されているような、番組のタイトルに対して動画コンテンツのタイトルが同順包含されるか否かを判定する方法（例えば、「ドラマで楽しむ英会話」は「ドラマ英会話」に対して同順包含される）が挙げられる。
【００３４】
そして、マイクロコンピュータブロック２０による判定の結果、同一内容でないと判定された場合には、予約時の探索処理が終了する。一方、マイクロコンピュータブロック２０による判定の結果、同一内容であると判定された場合には、その予約を削除するか否かをユーザに対して提示する（ステップ１０４）。具体的には、マイクロコンピュータブロック２０が動作することで、「予約された番組と同一内容の動画コンテンツが利用可能です。予約を削除しますか？『ＹＥＳ』『ＮＯ』」といった内容を映像・音声出力装置２のモニタ２ａに表示する。そして、ユーザからの予約の削除入力（上記の例では『ＹＥＳ』を選択した場合）又は予約の継続入力（上記の例では『ＮＯ』を選択した場合）がマイクロコンピュータブロック２０に対してなされるまで待機する（ステップ１０６）。
【００３５】
そして、ユーザから予約の継続入力がマイクロコンピュータブロック２０に対してなされた場合には、予約時の探索処理が終了する。一方、ユーザからの予約の削除入力がマイクロコンピュータブロック２０に対してなされた場合には、マイクロコンピュータブロック２０の指示により予約を削除して（ステップ１０８）、予約時の探索処理が終了する。
【００３６】
次に、図４を参照して、録画中の探索処理について説明する。映像記録再生装置１が録画中の探索処理を開始すると、ユーザによる探索開始入力がマイクロコンピュータブロック２０に対してなされたか否かをマイクロコンピュータブロック２０が判定する（ステップ２００）。マイクロコンピュータブロック２０は探索開始入力があるまで待機し、探索開始入力があったとマイクロコンピュータブロック２０が判定するとステップ２０２に進む。
【００３７】
探索開始入力があったとマイクロコンピュータブロック２０が判定すると、録画中の番組が動画配信装置としての各サーバ３，４に記録されている動画コンテンツと同一内容であるか否かを、マイクロコンピュータブロック２０が判定する（ステップ２０２）。具体的には、まず、マイクロコンピュータブロック２０が、利用可能なコンテンツ情報を各サーバ３，４からネットワークＩ／Ｆ３２及びネットワークＮＷを介して取得する。そして、この取得したコンテンツ情報の中に予約された番組の番組情報と一致するものがあるか否かを判定する。一致しているか否かの判定方法としては、予約時の探索処理で説明した方法と同様である。
【００３８】
そして、マイクロコンピュータブロック２０による判定の結果、同一内容でないと判定された場合には、録画中の探索処理が終了する。一方、マイクロコンピュータブロック２０による判定の結果、同一内容であると判定された場合には、録画を中止して番組データを削除するか否かをユーザに対して提示する（ステップ２０４）。具体的には、マイクロコンピュータブロック２０が動作することで、「録画中の番組と同一内容の動画コンテンツが利用可能です。録画を中止して番組データを削除しますか？『ＹＥＳ』『ＮＯ』」といった内容を映像・音声出力装置２のモニタ２ａに表示する。そして、ユーザからの録画の中止入力（上記の例では『ＹＥＳ』を選択した場合）又は録画の継続入力（上記の例では『ＮＯ』を選択した場合）がマイクロコンピュータブロック２０に対してなされるまで待機する（ステップ２０６）。
【００３９】
そして、ユーザから録画の継続入力がマイクロコンピュータブロック２０に対してなされた場合には、録画中の探索処理が終了する。一方、ユーザからの録画の中止入力がマイクロコンピュータブロック２０に対してなされた場合には、マイクロコンピュータブロック２０の指示により録画を中止すると共に番組データを削除して（ステップ２０８）、録画中の探索処理が終了する。
【００４０】
次に、図５を参照して、録画後の探索処理について説明する。映像記録再生装置１が録画後の探索処理を開始すると、ユーザによる探索開始入力がマイクロコンピュータブロック２０に対してなされたか否かをマイクロコンピュータブロック２０が判定する（ステップ３００）。マイクロコンピュータブロック２０は探索開始入力があるまで待機し、探索開始入力があったとマイクロコンピュータブロック２０が判定するとステップ３０２に進む。
【００４１】
探索開始入力があったとマイクロコンピュータブロック２０が判定すると、ＨＤＤ部１２のハードディスク１２ａに記録（録画）された番組が動画配信装置としての各サーバ３，４に記録されている動画コンテンツと同一内容であるか否かを、マイクロコンピュータブロック２０が判定する（ステップ３０２）。具体的には、まず、マイクロコンピュータブロック２０が、利用可能なコンテンツ情報を各サーバ３，４からネットワークＩ／Ｆ３２及びネットワークＮＷを介して取得する。そして、この取得したコンテンツ情報の中に録画された番組の番組情報と一致するものがあるか否かを判定する。一致しているか否かの判定方法としては、予約時の探索処理で説明した方法と同様である。
【００４２】
そして、マイクロコンピュータブロック２０による判定の結果、同一内容でないと判定された場合には、録画後の探索処理が終了する。一方、マイクロコンピュータブロック２０による判定の結果、同一内容であると判定された場合には、番組データを削除するか否かをユーザに対して提示する（ステップ３０４）。具体的には、マイクロコンピュータブロック２０が動作することで、「ハードディスに録画済の番組と同一内容の動画コンテンツが利用可能です。ハードディスクから番組データを削除しますか？『ＹＥＳ』『ＮＯ』」といった内容を映像・音声出力装置２のモニタ２ａに表示する。そして、ユーザからの番組データの削除入力（上記の例では『ＹＥＳ』を選択した場合）又は番組データの保存入力（上記の例では『ＮＯ』を選択した場合）がマイクロコンピュータブロック２０に対してなされるまで待機する（ステップ３０６）。
【００４３】
そして、ユーザから録画の継続入力がマイクロコンピュータブロック２０に対してなされた場合には、録画後の探索処理が終了する。一方、ユーザからの番組データの削除入力がマイクロコンピュータブロック２０に対してなされた場合には、マイクロコンピュータブロック２０の指示により番組データを削除して（ステップ３０８）、録画後の探索処理が終了する。
【００４４】
以上のような本実施形態においては、マイクロコンピュータブロック２０が予約入力を受け付け、その番組情報がコンテンツ情報と同一であるとマイクロコンピュータブロック２０が判定し、且つ、ユーザがマイクロコンピュータブロック２０に対して予約の削除入力を行った場合に、予約を削除するようにしている。そのため、ネットワークを介してＶＯＤサービス等により動画コンテンツを取得する映像記録再生装置１において、同一内容の番組の重複記録を防止できるようになっている。その結果、ＨＤＤ部１２のハードディスク１２ａの容量を節約することが可能となる。また、予約を削除するか否かをユーザに提示しているので、予約の削除に関してユーザが判断できるようになっている。
【００４５】
また、本実施形態においては、録画中の番組の番組情報がコンテンツ情報と同一であるとマイクロコンピュータブロック２０が判定し、且つ、ユーザがマイクロコンピュータブロック２０に対して録画の中止入力を行った場合に、録画を中止すると共に番組データを削除するようにしている。そのため、ネットワークを介してＶＯＤサービス等により動画コンテンツを取得する映像記録再生装置１において、同一内容の番組の重複記録を防止できるようになっている。その結果、ＨＤＤ部１２のハードディスク１２ａの容量を節約することが可能となる。また、録画を中止するか否かをユーザに提示しているので、録画の中止に関してユーザが判断できるようになっている。
【００４６】
また、本実施形態においては、ＨＤＤ部１２のハードディスク１２ａに記録されている録画後の番組の番組情報がコンテンツ情報と同一であるとマイクロコンピュータブロック２０が判定し、且つ、ユーザがマイクロコンピュータブロック２０に対して番組データの削除入力を行った場合に、番組データを削除するようにしている。そのため、ネットワークを介してＶＯＤサービス等により動画コンテンツを取得する映像記録再生装置１において、同一内容の番組の重複記録を防止できるようになっている。その結果、ＨＤＤ部１２のハードディスク１２ａの容量を節約することが可能となる。また、番組データを削除するか否かをユーザに提示しているので、番組データの削除に関してユーザが判断できるようになっている。
【００４７】
以上、本発明の好適な実施形態について詳細に説明したが、本発明は上記した実施形態に限定されるものではない。例えば、記録再生装置１は、図２において、ＤＶＤ等の光ディスクとハードディスクとの二種類の情報記録媒体を双方取り扱うことができる装置として示しているが、情報記録媒体としては、半導体メモリ等であってもよい。
【００４８】
また、各サーバ３，４が配信する動画コンテンツの番組表が更新されたときに上記の各探索処理を開始するようにしてもよい。
【００４９】
また、ＨＤＤ部１２のハードディスク１２ａに記録されていた番組が、記録媒体５に記録されると共にハードディスク１２ａから削除されたような場合でも、ハードディスク１２ａから削除された番組の番組情報を履歴として保存しておけば、当該履歴を参照することで録画後の探索処理を行うことが可能である。
【００５０】
また、本実施形態では、映像記録再生装置１が、ハードディスク１２ａを有するＨＤＤ部１２を備えていたが、映像記録再生装置１がＨＤＤ部１２を備えないものであってもよい。すなわち、映像・音声出力装置２がＨＤＤ部を備えており、映像・音声出力装置２のＨＤＤ部に対して番組データを記録するようにしてもよい。また、いわゆる外付けハードディスクのような外部記録装置を映像記録再生装置１に接続し、この外部記録装置に対して番組データを記録するようにしてもよい。
【図面の簡単な説明】
【００５１】
【図１】図１は、本実施形態に係る映像記録再生装置を含むシステムの全体構成を示すブロック図である
【図２】図２は、本実施形態に係る映像記録再生装置の全体構成を示すブロック図である。
【図３】図３は、予約時の探索処理を説明するためのフローチャートである。
【図４】図４は、録画中の探索処理を説明するためのフローチャートである。
【図５】図５は、録画後の探索処理を説明するためのフローチャートである。
【符号の説明】
【００５２】
１…映像記録再生装置、３，４…サーバ（動画配信装置）、２０…マイクロコンピュータブロック（制御手段）、２８…地上デジタルチューナ、３０…衛星ＢＳ／ＣＳデジタルチューナ、３２…ネットワークＩ／Ｆ（ネットワーク接続手段）、ＮＷ…ネットワーク。
【図１】
2009284345.tif 000003
【図２】
2009284345.tif 000004
【図３】
2009284345.tif 000005
【図４】
2009284345.tif 000006
【図５】
2009284345.tif 000007